(57)【要約】【課題】通信装置を装着した場合でも全体としてなるべく小型化を図りつつ、通信装置と内蔵の閃光装置とが干渉することを防止する。【解決手段】使用位置と格納位置との間を移動可能な閃光装置４０を内蔵すると共に、複数種類のアクセサリ装置を交換可能に装着するため、該閃光装置４０の近傍に設けられた装着部を備える撮影装置であって、閃光装置４０を前記格納位置から前記使用位置に移動させる駆動手段１０４，１０５と、前記アクセサリ装置の一種である通信装置５００が装着部に装着されたことを検出する検出手段ＳＷ５０２と、検出手段ＳＷ５０２により前記装着部への通信装置５００の装着が検出された場合に、駆動手段１０４，１０５の作動を禁止するよう制御する制御手段１０１とを備える。【選択図】図３
2009276414.tif 000002
【特許請求の範囲】
【請求項１】
使用位置と格納位置との間を移動可能な閃光装置を内蔵すると共に、複数種類のアクセサリ装置を交換可能に装着するため、該閃光装置の近傍に設けられた装着部を備える撮影装置であって、
前記閃光装置を前記格納位置から前記使用位置に移動させる駆動手段と、
前記アクセサリ装置の一種である通信装置が前記装着部に装着されたことを検出する検出手段と、
前記検出手段により前記装着部への前記通信装置の装着が検出された場合に、前記駆動手段の作動を禁止するよう制御する制御手段と、
を備えることを特徴とする撮影装置。
【請求項２】
前記通信装置は、現在位置を検出し、該検出された現在位置に係る位置情報を前記制御手段との通信線を介して該制御手段に通知するＧＰＳ装置であることを特徴とする請求項１に記載の撮影装置。
【請求項３】
前記制御装置は、前記ＧＰＳ装置から通知された位置情報を撮影された画像情報に付加することを特徴とする請求項２に記載の撮影装置。
【請求項４】
前記検出手段は前記通信装置に設けられた検出スイッチであり、該通信装置は、該検出スイッチにより前記装着部に該通信装置が装着されたことが検出されたときに、これを示す情報を前記制御手段との通信線を介して該制御手段に通知するようにしたことを特徴とする請求項１〜３の何れか一項に記載の撮影装置。
【請求項５】
前記制御手段は、前記駆動手段の作動を禁止した場合には、撮像感度が所定感度以上になるように、又は被写体輝度に応じて自動的に撮像感度を変更するように制御することを特徴とする請求項１〜４の何れか一項に記載の撮影装置。
【請求項６】
前記制御手段は、前記駆動手段の作動を禁止した場合には、撮影画像からノイズを除去するノイズリダクション機能を作動させることを特徴とする請求項１〜５の何れか一項に記載の撮影装置。
【請求項７】
前記制御手段は、前記駆動手段の作動を禁止した場合には、撮影画像の階調を補正する階調補正機能を作動させることを特徴とする請求項１〜６の何れか一項に記載の撮影装置。
【請求項８】
前記制御手段は、前記駆動手段の作動を禁止した場合には、手振れ補正機能を作動させることを特徴とする請求項１〜７の何れか一項に記載の撮影装置。
【発明の詳細な説明】
【技術分野】
【０００１】
本発明は、デジタルカメラ等の撮影装置に関し、特に、使用位置と格納位置との間を移動可能な閃光装置を内蔵すると共に、ＧＰＳ装置等の通信装置をアクセサリ装置として交換可能に装着するための装着部を備える撮影装置に関する。
【背景技術】
【０００２】
近年、被写体の光学像を、撮影レンズを介してＣＣＤ等の固体撮像素子に結像させ、該撮像素子により光電変換されて出力される画像信号を、記録媒体等に記録するようにしたデジタルカメラにおいては、ＧＰＳ（全地球測位システム：Ｇｌｏｂａｌ  Ｐｏｓｉｔｉｏｎｉｎｇ  Ｓｙｓｔｅｍ）衛星からの信号を受信するＧＰＳ装置を接続し、このＧＰＳ装置から送られてくる位置情報（経度、緯度、標高、時刻等）を撮影画像と共に、撮影情報として記録できるようにしたものが開発されている。
【０００３】
ＧＰＳ装置とカメラとの接続形態としては、ＧＰＳ装置を備えるカーナビゲーション装置との間で無線通信する無線装置をカメラに設け、撮影時にＧＰＳ装置から無線通信により位置情報を取得するようにしたものが知られている（下記特許文献１参照）。また、カーナビゲーション装置にて時間情報と位置情報を定期的にメモリに記録しておき、事後的（撮影後）にカメラをカーナビゲーション装置に有線接続して、カメラに記録された撮影情報に設定されている時間情報から対応する位置情報を取得して、該撮影情報に該位置情報を設定するようにしたものも知られている（下記特許文献２参照）。
【０００４】
これらの従来技術は、ＧＰＳ装置（カーナビゲーション装置）が比較的に大型であり、カメラと共に持ち運ぶことができないことを前提としており、時代のニーズに合わないと共に、ＧＰＳ装置（カーナビゲーション装置）にこれに対応した機能（無線通信機能やメモリ機能等）を備える必要があり、汎用性の観点からも好ましくない。
【０００５】
ところで、近時においては、ＧＰＳ装置は小型軽量化されてきており、カメラと共に持ち歩くことが可能になってきている。このようにカメラと共にＧＰＳ装置を持ち歩くことを考慮した場合に、カメラにＧＰＳ装置を有線接続して別々に持ち歩くようにしたものでは、撮影の支障になったり、取り扱いが不便になったりすることがあるため、カメラに機械的に装着できるようにすることが好ましいと考えられる。しかし、カメラにＧＰＳ装置を装着するための専用の装着部を設けることは汎用性の観点から好ましくない。
【０００６】
そこで、カメラには閃光装置等のアクセサリ装置を着脱可能に装着するためのアクセサリーシュー（又はホットシュー）と呼ばれることがある装着部が設けられていることが多いので、これにＧＰＳ装置を装着できるようにして、カメラと一体化させて持ち歩けるようにすることが考えられている。ところが、カメラにはポップアップ式の閃光装置が内蔵されることがあり、そのポップアップは使用者がポップアップボタンを手動操作して、あるいはカメラの制御部が露出等に基づいて閃光を用いることが必要であると判断した場合に自動で、行われるようにしたものがあり、この場合に、アクセサリーシューに装着されたＧＰＳ装置とポップアップ式の閃光装置が干渉することがあるため、その対策が必要とされる。
【０００７】
この場合において、ＧＰＳ装置の形態を工夫して、ポップアップ時でも内蔵の閃光装置と干渉しないようにすることが考えられる。しかし、内蔵の閃光装置のポップアップの仕方は、回動するものや上下にスライドするもの等、カメラの種類毎に様々である。これらの全てに一律に対応するためには、ＧＰＳ装置の形態をカメラの操作等との関係で背面側や両側部に向かう方向に長寸にすることはできないので、カメラの上側に向かって長寸に形成せざるを得ず、カメラに装着した場合に全体として大型となって取り扱いに支障がある場合があり、よい対策とは言えない。
【０００８】
なお、ＧＰＳ装置のような通信装置についてのものではないが、アクセサリーシューに検出スイッチを設けて、該アクセサリーシューに外付けの閃光装置が装着されたことを検出した場合に、内蔵の閃光装置のポップアップを禁止して、使用者を戸惑わせることを防止するようにした技術として、下記特許文献３に記載されたようなものが知られているが、この技術は、外付けの閃光装置についてのものであると共に、内蔵の閃光装置のポップアップ時の干渉を回避するためのものではない。また、カメラにこのような検出スイッチを設けることは、カメラ（装着部）の構成を複雑化させると共に、かかる検出スイッチを備えないカメラでは用いることができず、汎用性の観点からも問題がある。
【０００９】
本発明は、このような点に鑑みてなされたものであり、使用位置と格納位置との間を移動可能な閃光装置を内蔵すると共に、ＧＰＳ装置等の通信装置をアクセサリ装置として交換可能に装着するための装着部を備える撮影装置において、該通信装置を装着した場合でも全体としてなるべく小型化を図りつつ、通信装置と内蔵の閃光装置とが干渉することを防止することを目的とする。
【特許文献１】特開２００２−２７１７２３号公報
【特許文献２】特開２００７−８９０７５号公報
【特許文献３】特開平１０−１８６４７１号公報
【発明の開示】
【課題を解決するための手段】
【００１０】
この項の説明では、後述する実施形態を表す図面に示す部材等を示す符号を括弧を付して付記するが、これは単に理解の容易化のためであり、本発明の各構成要件は、これら部材等を示す符号を付した図面に示す部材等に限定されるものではない。
【００１１】
本発明によると、使用位置（Ｂ）と格納位置（Ａ）との間を移動可能な閃光装置（４０）を内蔵すると共に、複数種類のアクセサリ装置を交換可能に装着するため、該閃光装置の近傍に設けられた装着部（１０）を備える撮影装置（１）であって、前記閃光装置を前記格納位置から前記使用位置に移動させる駆動手段（１０４，１０５）と、前記アクセサリ装置の一種である通信装置（５００）が前記装着部に装着されたことを検出する検出手段（ＳＷ５０２）と、前記検出手段により前記装着部への前記通信装置の装着が検出された場合に、前記駆動手段の作動を禁止するよう制御する制御手段（１０１）と、を備える撮影装置が提供される。
【００１２】
前記通信装置としては、現在位置を検出し、該検出された現在位置に係る位置情報を前記制御手段（１０１）との通信線（５０１）を介して該制御手段に通知するＧＰＳ装置（５００）を例示でき、この場合において、前記制御装置は、前記ＧＰＳ装置から通知された位置情報を撮影された画像情報に付加するようにできる。
【００１３】
また、前記検出手段は前記通信装置に設けられた検出スイッチ（ＳＷ５０２）であり、該通信装置は、該検出スイッチにより前記装着部（１０）に該通信装置が装着されたことが検出されたときに、これを示す情報を前記制御手段（１０１）との通信線（５０１）を介して該制御手段に通知するようにできる。
【００１４】
本発明では、検出手段により装着部への通信装置の装着が検出された場合に、駆動手段の作動を禁止するようにしたので、通信装置が装着部に装着されている間は、内蔵の閃光装置が使用位置へ移動することはなくなり、該通信装置と内蔵の閃光装置とが干渉してしまうことを防止することができる。また、通信装置の形態を、内蔵の閃光装置の使用位置への移動を考慮することなく選定することができるので、該通信装置を装着した場合でも全体として小型に構成することが可能である。
【００１５】
本発明においては、通信装置が装着部に装着されている場合には、内蔵の閃光装置が使用位置に移動されないので、当該使用位置における閃光を伴う撮影を行うことはできない。このため、制御手段に以下のような制御を実施させることが好ましい。即ち、前記駆動手段の作動を禁止した場合には、撮像感度が所定感度以上になるように、又は被写体輝度に応じて自動的に撮像感度を変更するように制御する、撮影画像からノイズを除去するノイズリダクション機能を作動するよう制御する、撮影画像の階調を補正する階調補正機能を作動するよう制御する、又は手振れ補正機能を作動するよう制御する。なお、これらは、複数を組み合わせて行うようにしてもよい。
【発明の効果】
【００１６】
本発明によれば、通信装置を装着した場合でも全体としてなるべく小型化を図りつつ、通信装置と内蔵の閃光装置とが干渉することを防止することができる。また、検出スイッチを通信装置に設けるようにすれば、カメラ側にそのような検出スイッチを設ける必要がなく、カメラ（装着部）の構成を複雑化させることがないと共に、カメラの装着部にかかる検出スイッチを備えないカメラでも用いることができ、汎用性を高くすることができる。さらに、駆動手段の作動を禁止した場合に、制御手段に上述したような制御を実施させることにより、内蔵の閃光装置を用いることができなくても、高品質な撮影を実施することができる。
【発明を実施するための最良の形態】
【００１７】
以下、本発明の実施形態について、図面を参照して詳細に説明する。
【００１８】
〔デジタルカメラの全体構成〕
図１は本発明の実施形態に係るデジタルカメラの概略構成を模式的に示す斜視図である。このデジタルカメラは、ポップアップ方式の閃光器を内蔵した一眼レフ方式のカメラである。このカメラは、カメラ本体１に撮影レンズＬを着脱可能に装着して構成されている。なお、撮影レンズＬはカメラ本体１に固定されたものであってもよい。
【００１９】
図示は省略しているが、撮影レンズＬは、レンズ鏡筒内部に、メインレンズ、焦点距離調節レンズ、フォーカスレンズ等の複数のレンズからなるレンズ系、及び絞り等を備えて構成されている。また、カメラ本体１の内部には、撮影レンズＬを介した被写体の像を画像信号に変換して出力するＣＣＤやＣＭＯＳ等からなる撮像素子、メカニカルシャッタ、光路切換用のクイックリターンミラー、位相差検出式ＡＦ検出素子等が収容されている。カメラ本体１の上部中央には、撮影レンズＬ及びクイックリターンミラーを介して形成される被写体の光学像を目視観察するための光学式のファインダ部が配置されており、該ファインダ部は、フォーカシングスクリーン（焦点板）、ペンタ（ダハ）プリズム、測光部（測光素子）、接眼部（接眼レンズ）等を備えて構成されている。
【００２０】
カメラ本体１の上部又は背面には、図示は省略しているが、撮影者が指示内容を手動入力するための各種のボタン、ダイヤル、十字キー等の操作部が配置されている。操作部としては、電源をオン／オフする電源ダイヤル、レリーズボタン、撮影モードダイヤル、コマンドダイヤル等が設けられている。カメラ本体１の背面には、撮像素子に結像されている被写体の画像（ライブビュー画像）又は撮影済みの静止画若しくは動画を再生表示するための画像表示モニタが設けられている。この画像表示モニタには、画像の他に、メニュー画面、各種のモードの選択画面、撮影に関する情報、ＧＰＳ装置が接続されていることを示すマーク等も表示される。
【００２１】
カメラ本体１の上部中央（ファインダ部の上部）の後方には、外付けの閃光装置、通信装置としての後述するＧＰＳ装置等のアクセサリ装置を着脱可能に装着するための装着部としてのアクセサリーシュー１０が設けられている。アクセサリーシュー１０には、これに装着されたアクセサリ装置に電源を供給するための接点やカメラ本体１の制御部（演算回路）との通信を行うための接点等が配置され、アクセサリ装置がアクセサリーシュー１０に装着された場合に、アクセサリ装置の被装着部の下面に設けられた対応する接点を介して、電源の供給や信号の送受信を行い得るようになっている。
【００２２】
アクセサリーシュー１０をカメラ本体１の前部（撮影レンズＬ側）から挟み込むように、閃光器保持部材４１が配設されている。閃光器保持部材４１は、点Ｃを通る軸Ａｘを中心軸として図１中の矢印の方向に回動可能に支持されており、閃光器保持部材４１に閃光発光部４０が一体的に保持されている。閃光発光部４０は、カメラ本体１に内蔵される閃光器である。閃光発光部４０の前面に発光面（窓）Ｆが配置されている。
【００２３】
カメラ本体１の前面側には、使用者（撮影者）が手動で操作可能なポップアップボタン５が設けられている。また、カメラ本体１の一方の側面には、後述するＧＰＳ装置５００（図２参照）等のアクセサリ装置と通信するためのケーブル５０１（図２参照）が接続されるコネクタ５０が設けられている。
【００２４】
図２は本発明の実施形態に係るデジタルカメラの概略構成を模式的に示す側面図であって、アクセサリーシューにＧＰＳ装置が装着された状態を示している。
【００２５】
上述したポップアップボタン５（図１参照）が使用者により操作（押下）されると、閃光発光部４０は、ポップアップ、即ち格納位置（図２に実線で示された符号Ａの位置）から使用位置（図２に二点鎖線で示された符号Ｂの位置）に移動させることができるようになっている。閃光発光部４０は、使用位置Ｂに移動された状態で、その発光面Ｆが被写体に対向、即ち、閃光の照射光軸が被写体に向かうように構成されている。
【００２６】
閃光発光部４０のポップアップは、後述する演算回路１０１（図３参照）による制御によって、逆光や低輝度時等、閃光の発光が必要と判断された場合に、自動でポップアップさせることもできるようになっている。ポップアップボタン５による手動のポップアップ及び制御による自動のポップアップの何れを行うかは、撮影モードに応じて選択され、又は事前のモード設定によって選択できるようになっている。
【００２７】
アクセサリーシュー１０には、通信装置としてのＧＰＳ装置５００が装着されている。また、ＧＰＳ装置５００のケーブル５０１がカメラ本体１のコネクタ５０（図１参照）に接続されることにより、ＧＰＳ装置５００とカメラ本体１の演算回路１０１（図３参照）とが通信できるようになっている。なお、アクセサリーシュー１０には、上述したように、電源供給や通信のための接点が配置されているが、この実施形態では、当該接点は用いずに、コネクタ接続されたケーブル５０１を介して電源供給及び通信を行うようにしている。但し、当該接点を用いて電源供給及び通信を行うようにしてもよい。図示は省略しているが、ＧＰＳ装置５００のアクセサリーシュー１０に対する被装着部には、ＧＰＳ装置５００のアクセサリーシュー１０への装着の有無により作動（装着時にオン、非装着時にオフ）する検出スイッチ（図３の符号ＳＷ５０２参照）が設けられている。
【００２８】
図２からわかるように、ＧＰＳ装置５００は、アクセサリーシュー１０への装着時にカメラ全体として大型になることを回避するため、及び各種の操作の妨げとならないようにするため、比較的に前側に長寸となるような形態となっており、閃光発光部４０の使用位置Ｂと干渉している。このため、ＧＰＳ装置５００がアクセサリーシュー１０に装着された場合には、閃光発光部４０は使用位置Ｂに移動することはできない。このため、本実施形態では、この干渉を防止するため、後述するように、ＧＰＳ装置５００をアクセサリーシュー１０に装着した場合には、閃光発光部４０のポップアップ、即ち格納位置Ａから使用位置Ｂへの移動を禁止するようにしている。
【００２９】
〔制御系の構成〕
図３は本実施形態のデジタルカメラの制御系の構成を示すブロック図である。図３において、１０１はマイクロコンピュータ等によって構成される制御手段としての演算回路であり、演算回路１０１は、後述する各ブロックから出力される信号を入力として所定の演算を行い、演算結果に基づいて制御信号を各ブロックへ出力する。
【００３０】
１０２は閃光発光部発光回路であり、演算回路１０１の指示により充電を開始すると共に、充電完了を演算回路１０１に出力し、さらに演算回路１０１からの発光開始及び発光停止の指示により閃光発光部４０の発光及び発光停止を制御する。スイッチＳＷ１は閃光発光部４０のポップアップを検知するポップアップ検知スイッチであり、その一端は接地され、他端は演算回路１０１に接続されている。１０３は測光部であり、演算回路１０１からの指示により撮影レンズＬを透過した被写体光の光量を検出し、この検出結果を演算回路１０１に出力する。また、この測光部１０３は閃光発光部４０が発光した光の被写体での反射光を撮影レンズＬを介して受光し、この受光信号を時間積分して、その時間積分値を演算回路１０１へ出力する。１０４は閃光発光部４０をポップアップさせるための駆動源となるマグネット（電磁石）であり、駆動回路１０５により駆動されて作動する。
【００３１】
ここで、図２の閃光器保持部材４１は、図示は省略しているが、図２中、時計方向に回動するように付勢するバネと、閃光器保持部材４１に設けられたフックと、該フックに係合可能でカメラ本体１に軸支されたレバーと、及び該レバーを回動させてフックとレバーの係合を解除する上述のマグネット１０４等とを備えたポップアップ機構によりポップアップされる。閃光器保持部材４１は、当該バネの付勢力に抗して格納位置Ａにてフックとレバーを係合させることによって該格納位置Ａに設定されている。ポップアップボタン５の押下又は制御によってマグネット１０４に駆動回路１０５を介して通電がなされることにより、フックとレバーとの係合が解除され、バネの付勢力によって回動して、使用位置Ｂに設定されるようになっている。
【００３２】
なお、この実施形態では、ポップダウン、即ち、使用位置Ｂからの格納位置Ａへの移動は、手動で閃光器保持部材４１を、図２中で反時計方向に回動する（押し下げる）ことにより、フックとレバーが再度係合することによって行うことができるようになっている。但し、ポップアップ及びポップダウンの双方を、ボタンの手動操作により、あるいは制御により自動で行うように構成してもよい。
【００３３】
図３に戻り、１０８は表示部（情報表示パネル）であり、ＧＰＳマーク、シャッタ速度、絞り値等を表示する。１０９は撮影モード設定部であり、例えば撮影モードダイヤル、ブラシ、撮影モードダイヤル位置検出パターン等から構成され、撮影モードダイヤルの位置により選択された撮影モードを演算回路１０１へ出力する。ＳＷ２はポップアップボタン５の押下に連動してオンし、押下の解除に連動してオフするポップアップスイッチである。
【００３４】
１１２はモータ制御回路であり、シーケンスモータ１１３の回転を制御する。シーケンスモータ１１３は既に公知のシーケンス駆動装置に組み込まれ、このシーケンス駆動装置を駆動することにより、撮影レンズＬからの被写体光を撮像素子１２１に導く（ミラーダウン）か、光学ファインダに導く（ミラーアップ）かを切り換えるクイックリターンミラーのアップ・ダウン、絞りの絞り込み・開放復帰、シャッタチャージを行う。なお、このシーケンス駆動装置には、シーケンススイッチＳＷ３が配設されてミラーアップ動作開始直後からオフし、ミラーアップ完了直前からミラーアップ中にオンとなる。また、ミラーダウン開始直後からオフし、ミラーダウン直前からミラーダウン中オンとなる。こうしたタイミングでオン／オフするこのシーケンススイッチＳＷ３の状態によりシーケンスモータ１１３の駆動及びブレーキの制御を行うことで、シーケンス駆動装置の動作を制御することが可能となる。即ち、まずシーケンス駆動装置がミラーダウン状態でシーケンスモータ１１３が停止している状態では、シーケンススイッチＳＷ３はオン状態を保っている。ミラーアップのためにシーケンスモータ１１３を正転すると、シーケンス駆動装置が作動して若干の時間遅れでシーケンススイッチＳＷ３がオフする。
【００３５】
シーケンスモータ１１３の正転を継続すると、シーケンス駆動装置の作動によりミラーアップ及び絞りの絞り込みが行われる。さらに、シーケンスモータ１１３の正転を継続すると、シーケンス駆動装置の作動によってミラーアップ完了の直前にシーケンススイッチＳＷ３がオンするので、ここでシーケンスモータ１１３のブレーキ制御を行って、シーケンスモータ１１３を停止してシーケンス駆動装置によるミラーアップ動作を停止する。なお、絞りの絞り込み動作は、ミラーアップ完了までには終了するように構成されている。
【００３６】
一方、ミラーアップ状態ではシーケンススイッチＳＷ３はオン状態を維持している。ミラーダウンのためにシーケンスモータ１１３を逆転すると、シーケンス駆動装置が作動して若干の時間遅れでシーケンススイッチＳＷ３がオフする。シーケンスモータ１１３の逆転を継続すると、シーケンス駆動装置の作動によりミラーダウンが行われ、また絞りが係止されている場合には係止の解除がなされると共に、絞りの開放への復帰が行われ、さらに後述のシャッタ１１５のチャージが行われる。さらにシーケンスモータ１１３の逆転を継続すると、シーケンス駆動装置の作動によってミラーダウン完了の直前にシーケンススイッチＳＷ３がオンするので、ここでシーケンスモータ１１３のブレーキ制御を行って、シーケンスモータ１１３を停止してシーケンス駆動装置によるミラーダウン動作を停止する。なお、絞りの開放復帰及びシャッタ１１５のチャージはミラーダウン完了までには終了するようにシーケンス駆動装置が構成されている。
【００３７】
１１４はシャッタ制御回路であり、シャッタ１１５の先幕及び後幕の保持及びそれぞれの解除を制御する。なお、シャッタ１１５はシーケンス駆動装置のミラーアップ途中でチャージの解除がなされるので、シーケンス駆動装置によるミラーアップ動作前に、シャッタ１１５の先幕及び後幕の保持を行う必要がある。なお、ＳＷ４はＸ接点スイッチであり、シャッタ１１５の先幕が走行を完了するとオンし、シャッタ１１５のチャージ途中でオフする。
【００３８】
１１６は絞り位置検出装置であり、シーケンス駆動装置により絞りが絞り込まれるときの絞りの位置を検出する。１１７は絞り係止装置であり、この絞り係止装置１１７を作動させることにより、絞りが係止されて、絞りの絞り込みが停止するようになっている。なお、この絞り係止装置１１７による絞りの係止は、シーケンス駆動装置のミラーダウン途中に解除されるようにシーケンス駆動装置が構成されている。
【００３９】
ＳＷ５は不図示のレリーズボタンの全ストロークの半分程度までのストロークの押し下げに連動してオンし、全ストロークの半分程度までのストロークの押し下げを解除するとオフする半押しスイッチであり、閃光発光部４０のオートポップアップのための判定をするタイミングを図る。ＳＷ６は不図示のレリーズボタンの全ストロークの押し下げに連動してオンし、全ストロークの押し下げの解除によりオフするレリーズスイッチであり、撮影開始の指示のトリガとなる。
【００４０】
１２１は撮像素子であり、撮影レンズＬを透過した被写体光を受光して光電変換してアナログ画像信号を出力する。１２２はＡ／Ｄ変換回路であり、撮像素子１２１から出力されるアナログ画像信号をデジタル信号に変換する。１２３はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等で構成される画像処理回路であり、Ａ／Ｄ変換回路１２２によりデジタル変換されたデジタル信号に対して、ホワイトバランス（ＷＢ）調整等の画像処理、画像処理後の画像データを所定の形式で圧縮する圧縮処理、圧縮されたデータを伸長する伸長処理等を行う。
【００４１】
１２４はタイミング回路であり、タイミング信号を発生して撮像素子１２１及びＡ／Ｄ変換回路１２２に駆動信号を出力する。１２５はバッファメモリであり、画像処理、圧縮処理及び伸長処理等の各種の処理を施す画像データを一時的に格納するメモリである。１２６はメモリカード等の記録媒体であり、圧縮処理後の画像データが記録されるもので、カメラ本体１に対して着脱可能に構成されている。
【００４２】
５００はＧＰＳ装置であり、ＧＰＳ装置５００はそのケーブル５０１及びカメラ本体１のコネクタ５０を介して、演算回路１０１と接続される。前述のように、ＧＰＳ装置５００はカメラ本体１のアクセサリーシュー１０に装着されるとオンする検出スイッチＳＷ５０２を備えている。この検出スイッチＳＷ５０２のオンにより、カメラ本体１のアクセサリーシュー１０にＧＰＳ装置５００が装着されていることが検出可能である。
【００４３】
ＧＰＳ装置５００は、地球上を周回する複数のＧＰＳ衛星からのその軌道と時刻データとを含む電波信号を受信し、これらに基づいて、当該ＧＰＳ装置５００の現在位置に係る緯度、経度、標高、時刻等を含む位置情報を求め、当該位置情報を含むＧＰＳ信号を、ＮＭＥＡ−０１８３等の所定のプロトコルに従って、一定間隔毎に定期的に出力する装置である。なお、ＮＭＥＡは米国海洋電子機器協会（Ｎａｔｉｏｎａｌ  Ｍａｒｉｎｅ  Ｅｌｅｃｔｒｏｎｉｃｓ  Ａｓｓｏｃｉａｔｉｏｎ）が定めた規格で、ＧＰＳ装置と当該位置情報を利用する機器（ここでは、カメラ）との通信に使用されるプロトコルであり、ＮＭＥＡ−０１８３は、ＧＰＳ装置と当該位置情報を利用する機器の間をシリアルポートを利用して通信するための規格である。
【００４４】
ＧＰＳ装置５００からケーブル５０１及びコネクタ５０を介して演算回路１０１に送られた位置情報は、撮影時に、シャッタスピードや撮影日時等の撮影情報の一つとして、撮影画像とともに記録され、あるいはカメラが備える他の機能を実現するための情報として用いられる。
【００４５】
〔デジタルカメラの動作〕
次に、本実施形態に係るデジタルカメラの動作について、演算回路１０１による処理を中心として、図４〜図１２に示すフローチャートを参照して説明する。
【００４６】
（メイン処理）
図４はメイン処理を示すフローチャートである。処理が開始されると、まず、測光部１０３から測光情報を入力する（ステップＳ１０１）。次に、この測光情報に基づく輝度値が予め設定された所定輝度値未満であるか否かを判断し（ステップＳ１０２）、所定輝度値未満（低輝度）と判断した場合（Ｙの場合）にはステップＳ１０５で進み、所定輝度値以上（高輝度）と判断した場合（Ｎの場合）には、ステップＳ１０３に進んで、逆光か否かを判断する。
【００４７】
ステップＳ１０３において、逆光であると判断した場合（Ｙの場合）にはステップＳ１０５に進み、逆光でないと判断した場合（Ｎの場合）にはステップＳ１０４に進む。ステップＳ１０４では、ポップアップマグネット駆動フラグＭＧを、非駆動を示す数値「０」とし、ステップＳ１０５では、ポップアップマグネット駆動フラグＭＧを、駆動を示す数「１」として、ステップＳ１０６に進む。
【００４８】
ステップＳ１０６では図５を参照して後述する通信処理を行い、次いで、図６を参照して後述する設定処理（ステップＳ１０７）、図７を参照して後述する露出演算処理（ステップＳ１０８）、図８を参照して後述する表示処理（ステップＳ１０９）を実行した後に、ステップＳ１１０に進む。
【００４９】
ステップＳ１１０では、レリーズボタンが半押しされたか否か（即ち、スイッチＳＷ５がオンされたか否か）を判断し、半押しされていないと判断した場合（Ｎの場合）にはステップＳ１０１に戻り、半押しされたと判断した場合（Ｙの場合）には、次いで、ポップアップ自動／手動フラグＭの設定内容が「０」か否かを判断する（ステップＳ１１１）。ポップアップ自動／手動フラグＭは、カメラ本体１に設けられたモードダイヤルの操作に応じて設定されるフラグであり、閃光発光部４０のポップアップをポップアップボタン５の操作によって手動で行う場合には数値「１」が設定され、閃光発光部４０のポップアップを演算回路１０１の制御によって自動で行う場合には数値「０」が設定される。
【００５０】
ステップＳ１１１において、ポップアップ自動／手動フラグＭが「１」である場合（Ｎの場合）にはステップＳ１１６に進み、ポップアップ自動／手動フラグＭが「０」である場合（Ｙの場合）には、次いで、ＧＰＳ装着有無フラグＧの設定内容が「０」か否かを判断する（ステップＳ１１２）。
【００５１】
ＧＰＳ装着有無フラグＧは、ＧＰＳ装置５００がカメラ本体１のアクセサリーシュー１０に装着され、ＧＰＳ装置５００の検出スイッチＳＷ５０２がオンである場合には数値「１」が設定され、該検出スイッチＳＷ５０２がオフである場合には数値「０」が設定されるフラグである。このスイッチＳＷ５０２のオン／オフに係る情報は、ＧＰＳ装置５００からケーブル５０１及びコネクタ５０を介して演算回路１０１に通知される。
【００５２】
ステップＳ１１２において、ＧＰＳ装着有無フラグＧが「１」の場合（Ｎの場合）にはステップＳ１１６に進み、ＧＰＳ装着有無フラグＧが「０」の場合（Ｙの場合）には、次いで、ポップアップマグネット駆動フラグＭＧが「１」であるか否かを判断する（ステップＳ１１３）。ステップＳ１１３で、ポップアップマグネット駆動フラグＭＧが「０」である場合（Ｎの場合）にはステップＳ１１６に進み、ポップアップマグネット駆動フラグＭＧが「１」である場合（Ｙの場合）には、次いで、今現在、閃光発光部４０のポップアップがなされているか否かを判断する（ステップＳ１１４）。このステップ１１４の判断は、閃光発光部４０がポップアップされたときにオンし、ポップダウンされたときにオフするポップアップ検知スイッチＳＷ１に基づいて行われる。
【００５３】
ステップＳ１１４で閃光発光部４０がポップアップしていると判断した場合（Ｙの場合）にはステップＳ１１６進み、ポップアップしていないと判断した場合（Ｎの場合）には、駆動回路１０５を介してマグネット１０４が作動され、上述したレバーが回動して、該レバーとフックとの係合が解除され、バネの付勢力によって、閃光発光部４０がポップアップされる。
【００５４】
次いで、ステップＳ１１６において、ステップＳ１０８と同様に、後述する図７に示される露出演算処理がなされ（ステップＳ１１６）、ステップＳ１０９と同様に、後述する図８に示される表示処理が行われた後（ステップＳ１１７）、レリーズボタンが全押しされたか否かを、スイッチＳＷ６により判断する（ステップＳ１１８）。ステップＳ１１８において、スイッチＳＷ６がオフ（レリーズボタンが全押しされていない）と判断した場合（Ｎの場合）にはステップＳ１０１に戻り、スイッチＳＷ６がオン（レリーズボタンが全押しされた）と判断した場合には、図９を参照して後述する撮影シーケンスを実行し、一連の処理を終了する。
【００５５】
このように、ステップＳ１１２において、ＧＰＳ装着有無フラグＧが「１」である場合、即ち、ＧＰＳ装置５００がカメラ本体１のアクセサリーシュー１０に装着されている場合には、閃光発光部４０をポップアップすべき場合であっても、ポップアップしない、即ち格納位置Ａから使用位置Ｂへの移動がなされないようにしたので、閃光発光部４０とアクセサリーシュー１０に装着されたＧＰＳ装置５００とが干渉してしまうことが防止される。
【００５６】
（通信処理）
図５は、図４のステップＳ１０６で行われる通信処理を示すフローチャートである。この処理が開始されると、まず、計時変数ｔがリセット（「０」が代入）され、計時が開始される。この計時変数ｔは時間の経過に伴い自動的にカウントアップされる。次いで、ＧＰＳ装置５００との間で通信が成立したか否かが判断され（ステップＳ１２２）、通信が成立したと判断した場合（Ｙの場合）には、ＧＰＳ装置５００から送られる位置情報を解読し（ステップＳ１２３）、ＧＰＳケーブル接続有無フラグＧＰＳを「１」とする（ステップＳ１２４）。ＧＰＳケーブル接続有無フラグＧＰＳは、通信が成立した場合にＧＰＳ装置５００のケーブル５０１がコネクタ５０に接続されたものとして「１」とされ、通信が成立していない場合にＧＰＳ装置５００のケーブル５０１がコネクタ５０に接続されていないものとして「０」が設定されるフラグである。
【００５７】
次いで、ステップＳ１２７において、検出スイッチＳＷ５０２がオンか否かを判断し、オンの場合（Ｙの場合）にはＧＰＳ装着有無フラグＧを「１」とし（ステップＳ１２８）、オフの場合（Ｎの場合）にはＧＰＳ装着有無フラグＧを「０」として（ステップＳ１２９）、図４のステップＳ１０７にリターンする。
【００５８】
ステップＳ１２２において、通信が成立していないと判断した場合（Ｎの場合）には、計時変数ｔが予め決められた所定時間Ｔ０以上になったか否かを判断し（ステップＳ１２５）、所定時間Ｔ０未満である場合（Ｎの場合）にはステップＳ１２２に戻り、所定時間Ｔ０以上である場合（Ｙの場合）にはＧＰＳケーブル接続有無フラグＧＰＳを「０」として（ステップＳ１２６）、ステップＳ１２９に進む。
【００５９】
（設定処理）
図６は、図４のステップＳ１０７で行われる設定処理を示すフローチャートである。この処理が開始されると、まず、カメラ本体１のモードダイヤルがＰモードに設定されているか否かを判断する（ステップＳ１３１）。ここで、Ｐモードでは、手動ポップアップモードとなり、ポップアップボタン５の操作により閃光発光部４０のポップアップが行うことができるようになる。また、Ｐモード以外のモードでは、自動ポップアップモードとなり、演算回路１０１が閃光発光部４０のポップアップが必要であると判断した場合に自動的に閃光発光部４０がポップアップされる。
【００６０】
ステップＳ１３１において、Ｐモードに設定されていると判断した場合（Ｙの場合）には、ポップアップ自動／手動フラグＭが「０」であるか否かを判断し（ステップＳ１３２）、ポップアップ自動／手動フラグＭが「０」である場合（Ｙの場合）には、ポップアップ自動／手動フラグＭを「１」として、ステップＳ１３６に進み、ポップアップ自動／手動フラグＭが「１」である場合（Ｎの場合）には、ステップＳ１３６に進む。
【００６１】
ステップＳ１３１において、Ｐモード以外に設定されていると判断した場合（Ｎの場合）には、ポップアップ自動／手動フラグＭが「１」であるか否かを判断し（ステップＳ１３４）、ポップアップ自動／手動フラグＭが「１」である場合（Ｙの場合）には、ポップアップ自動／手動フラグＭを「０」として、ステップＳ１３６に進み、ポップアップ自動／手動フラグＭが「０」である場合（Ｎの場合）には、ステップＳ１３６に進む。
【００６２】
ステップＳ１３６において、ポップアップボタン５が押下されたか否かを、ポップアップボタン５の押下に連動してオンし、押下の解除に連動してオフするポップアップスイッチＳＷ２に基づいて判断し、押下されたと判断した場合（Ｙの場合）にはステップＳ１３７に進み、押下されていないと判断した場合（Ｎの場合）には、図４のステップＳ１０８にリターンする。次いで、ステップＳ１３７において、ポップアップ自動／手動フラグＭが「１」であるか否かを判断し、「１」である場合（Ｙの場合）にはステップＳ１３８に進み、「０」である場合（Ｎの場合）にはリターンする。
【００６３】
次いで、ステップＳ１３８において、ＧＰＳ装着有無フラグＧが「０」であるか否かを判断し、「０」である場合（Ｙの場合）にはステップＳ１３９に進み、「１」である場合（Ｎの場合）にはリターンする。次いで、ステップＳ１３９において、閃光発光部４０がポップアップされているか否かを、ポップアップ検知スイッチＳＷ１に基づいて判断し、ポップアップされていないと判断した場合（Ｎの場合）にＳ１４０において、駆動回路１０５を介してポップアップ機構のマグネット１０４を作動させて、閃光発光部４０をポップアップさせた後にリターンし、ポップアップされていると判断した場合（Ｙの場合）にはリターンする。このように、ステップＳ１３８において、ＧＰＳ装着フラグＧが「１」である場合、即ち、ＧＰＳ装置５００がカメラ本体１のアクセサリーシュー１０に装着されている場合には、閃光発光部４０をポップアップすべき場合であっても、ポップアップしない、即ち、格納位置Ａから使用位置Ｂへの移動がなされないようにしたので、閃光装置４０とアクセサリーシュー１０に装着されたＧＰＳ装置５００とが干渉してしまうことが防止される。
【００６４】
（露出演算処理）
図７は、図４のステップＳ１０８又はステップＳ１１６で行われる露出演算処理を示すフローチャートである。この処理が開始されると、まず、露出値ＥＶとして輝度値ＢＶに感度ＳＶを加算したものを代入し（ステップＳ１５１）、閃光発光部４０がポップアップされているか否かを、ポップアップ検知スイッチＳＷ１に基づいて判断する（ステップＳ１５２）。ステップＳ１５２において、ポップアップされていると判断した場合（Ｙの場合）には、シャッタ速度ＴＶに数値「７」を代入し（ステップＳ１５３）、絞り値ＡＶに露出値ＥＶからシャッタ速度ＴＶを減算したものを代入する（ステップＳ１５４）。
【００６５】
次いで、絞り値ＡＶが「３」未満であるか否かを判断し（ステップＳ１５５）、「３」未満であると判断した場合（Ｙの場合）には絞り値ＡＶに数値「３」を代入し（ステップＳ１５６）、図４のステップＳ１０９又はステップＳ１１７にリターンする。ステップＳ１５５において、絞り値ＡＶが「３」以上であると判断した場合（Ｎの場合）には、絞り値ＡＶが「９」を越えるか否かを判断し（ステップＳ１５７）、「９」を越えると判断した場合（Ｙの場合）には絞り値ＡＶに数値「９」を代入し（ステップＳ１５８）、リターンする。ステップＳ１５７において、絞り値ＡＶが「９」以下であると判断した場合（Ｎの場合）にはリターンする。
【００６６】
ステップＳ１５２において、閃光発光部４０のポップアップがなされていないと判断した場合（Ｎの場合）には、絞り値ＡＶに露出値ＥＶを「２」で除した値から「１」を減算したものを代入し（ステップＳ１５９）、絞り値ＡＶが「３」未満であるか否かを判断する（ステップＳ１６０）。ステップＳ１６０において、絞り値ＡＶが「３」未満であると判断した場合（Ｙの場合）には、絞り値ＡＶに数値「３」を代入し（ステップＳ１６１）、ステップＳ１６４に進む。
【００６７】
ステップＳ１６０において、絞り値ＡＶが「３」以上であると判断した場合（Ｎの場合）には、絞り値ＡＶが「９」を越えるか否かを判断し（ステップＳ１６２）、「９」以下であると判断した場合（Ｙの場合）には絞り値ＡＶに数値「９」を代入してステップＳ１６４に進み、「９」以下であると判断した場合（Ｎの場合）にはステップＳ１６４に進む。
【００６８】
ステップＳ１６４において、シャッタ速度ＴＶに露出値ＥＶから絞り値ＡＶを減算したものを代入し、シャッタ速度ＴＶが「０」未満であるか否かを判断し（ステップＳ１６５）、「０」未満であると判断した場合（Ｙの場合）にはシャッタ速度ＴＶに数値「０」を代入してリターンする。ステップＳ１６５において、シャッタ速度ＴＶが「０」以上であると判断した場合（Ｎの場合）にはシャッタ速度ＴＶが「１０」を越えるか否かを判断し（ステップＳ１６７）、「１０」を越えると判断した場合（Ｙの場合）にはシャッタ速度ＴＶに数値「１０」を代入してリターンし、シャッタ速度ＴＶが「１０」以下であると判断した場合（Ｎの場合）にはリターンする。
【００６９】
なお、この露出演算処理において、露出値ＥＶ、輝度値ＢＶ、感度ＳＶ、シャッタ速度ＴＶ、絞り値ＡＶは、アペックス値である。
【００７０】
〔表示処理〕
図８は、図４のステップＳ１０９又はステップＳ１１７で行われる表示処理を示すフローチャートである。この処理が開始されると、まず、ＧＰＳケーブル接続有無フラグＧＰＳが「１」であるか否かを判断し（ステップＳ１７１）、「１」であると判断した場合（Ｙの場合）には表示部１０８のＧＰＳマークを点灯させた後（ステップＳ１７２）、ステップＳ１７３に進み、「０」であると判断した場合（Ｎの場合）にはステップＳ１７２を実行せずにステップＳ１７３に進む。ステップＳ１７３において、シャッタ速度、絞り値を表示した後、図４のステップＳ１１０又はステップＳ１１８にリターンする。なお、ここでは、ＧＰＳ装置５００の装着を表示するＧＰＳマークを情報表示パネルである表示部１０８に表示するようにしたが、これに代えて、又はこれに加えて、撮影画像等を表示する画像表示パネルに表示するようにしてもよい。
【００７１】
（撮影シーケンス）
図９は、図４のステップＳ１１９で行われる撮影シーケンスを示すフローチャートである。この処理が開始されると、まず、シャッタ制御回路１１４によりシャッタ１１５のマグネットに通電を行うことによりシャッタ１１５の先幕及び後幕の保持を行い（ステップＳ１８１）、モータ制御回路１１２によりシーケンスモータ１１３の正転を開始させる（ステップＳ１８２）。これにより、クイックリターンミラーのミラーアップ動作、及び絞りの絞込みが開始される。次に、絞り位置検出装置１１６により駆動絞りパルスＰｋを検出し（ステップＳ１８３）、制御パルスＰｃとステップＳ１８３にて検出した駆動絞りパルスＰｋとを比較する（ステップＳ１８４）。
【００７２】
ステップＳ１８４において、検出した駆動絞りパルスＰｋが制御パルスＰｃ未満であると判定した場合（Ｎの場合）には、ステップＳ１８３に戻り、検出した駆動絞りパルスＰｋが制御パルスＰｃ以上であると判定した場合（Ｙの場合）には、絞り係止装置１１７を作動させて絞りを係止し（ステップＳ１８４’）、絞りの絞込みを停止させた後、シーケンススイッチＳＷ３の状態により、ミラーアップが完了したか否かを判定し（ステップＳ１８５）、ミラーアップ完了と判断できるまでステップＳ１８５に留まり、ミラーアップ完了と判断した場合（Ｙの場合）には、モータ制御回路１１２によりシーケンスモータ１１３の正転を停止する（ステップＳ１８６）。なお、この停止処理の際には逆通電ブレーキやショートブレーキ等のブレーキ処理により、シーケンスモータ１１３の停止は瞬時に行われ、オーバーランは無視できる程度である。
【００７３】
次に、ミラーアップ動作に伴うクイックリターンミラーの振動（バウンド）が収束するまでの所定の時間だけウエイトし（ステップＳ１８７）、撮像素子１２１の電荷蓄積を開始する（ステップＳ１８８）。なお、シャッタの先幕の保持を解除するまで、撮像素子１２１には撮影レンズＬを透過した光は到達しない。次に、シャッタ制御回路１１４によりシャッタ１１５のマグネットの通電を解除して、シャッタ１１５の先幕の保持を解除し、先幕の走行を開始させる（ステップＳ１８９）。これにより撮像素子１２１に撮影レンズＬを透過した光が到達する。
【００７４】
その後、前述のステップＳ１０８における露出演算にて求めたシャッタ速度ＴＶに相当する時間だけウエイトした後に（ステップＳ１９０）、シャッタ制御回路１１４により、シャッタ１１５の後幕の保持を解除し（ステップＳ１９１）、後幕が撮像面を走行完了する時間だけウエイトする（ステップＳ１９２）。
【００７５】
シャッタ１１５の後幕の走行が完了したならば、前述のステップＳ１８８にて開始した撮像素子１２１の電荷の蓄積を終了し（ステップＳ１９３）、モータ制御回路１１２によりシーケンスモータ１１３の逆転を開始する（ステップＳ１９４）。これによりクイックリターンミラーのミラーダウン、絞りの開放復帰が開始される。その後、撮像素子１２１に蓄積された電荷をタイミング回路１２４の発生するタイミングパルスによりアナログの画像信号として読み出し（ステップＳ１９５）、タイミング回路１２４の発生するタイミングパルスによりＡ／Ｄ変換回路１２２に入力して、このＡ／Ｄ変換回路１２２にてゲイン調整などの処理を行った後に、デジタル信号に変換して原画像データとする。
【００７６】
次に、Ａ／Ｄ変換回路１２２にてデジタル信号に変換された原画像データを、ＡＳＩＣ等で構成される画像処理回路１２３にて、ホワイトバランス調整、輪郭補償、ガンマ補正等の画像処理を行い（ステップＳ１９６）、ステップＳ１９６にて画像処理された処理画像データは、さらに画像処理回路１２３により圧縮処理が施されて圧縮画像データが作成される（ステップＳ１９７）。
【００７７】
その後、ＧＰＳケーブル接続有無フラグＧＰＳが「１」であるか否かを判断し（ステップＳ１９８）、「１」である場合（Ｙの場合）にはＧＰＳ装置５００から送られる位置情報（経度、緯度、標高、時刻等）を画像データに付加し（ステップＳ１９９）、当該位置情報等を含む画像データをメモリカード等の記録媒体１２６に記録する（ステップＳ２００）。ステップＳ１９８において、ＧＰＳケーブル接続有無フラグＧＰＳが「０」であると判断した場合（Ｎの場合）にはステップＳ１９９を実行せずに、ステップＳ２００を実行する。
【００７８】
次いで、シーケンススイッチＳＷ３の状態により、ミラーダウンが完了したか否かを判定し（ステップＳ２０１）、ミラーダウンと判定した場合（Ｙの場合）にはステップＳ２０２へ進み、ミラーダウンでないと判定した場合（Ｎの場合）はステップＳ２０１に留まる。次に、ミラーダウン動作終了のため、モータ制御回路１１２によりシーケンスモータ１１３の逆転を停止して（ステップＳ２０２）、図４にリターンして、一連の処理を終了する。
【００７９】
〔変形例〕
次に、上述した実施形態における動作の一部を変形した変形例について、図面を参照して説明する。
【００８０】
（第１変形例）
図１０は本発明の実施形態の第１変形例を示すフローチャートである。この第１変形例は、上述した実施形態の図４の一部を変更したものであり、図４のステップＳ１１２に代えて、ステップＳ１１２’を実行するようにしたものである。図４のステップＳ１１２では、ＧＰＳ装着有無フラグＧが「１」、即ちＧＰＳ装置５００がカメラ本体１のアクセサリーシュー１０に装着されている場合（検出スイッチＳＷ５０２がオンの場合）に、閃光発光部４０を自動ポップアップすべき場合であってもポップアップがなされないようにしている。
【００８１】
これに対して、図１０では、ステップＳ１１２’において、ＧＰＳケーブル接続有無フラグＧＰＳが「０」か否かを判断し、「１」である場合（Ｎの場合）、即ち、ＧＰＳ装置５００のケーブル５０１がカメラ本体１のコネクタ５０に接続されている場合（通信が成立している場合）に、閃光発光部４０が自動ポップアップすべき場合であってもそのポップアップがなされないようにしている。
【００８２】
（第２変形例）
図１１は本発明の実施形態の第２変形例を示すフローチャートである。この第２変形例は、上述した実施形態の図６の一部を変更したものであり、図６のステップＳ１３８に代えて、ステップＳ１３８’を実行するようにしたものである。図６のステップＳ１３８では、ＧＰＳ装着有無フラグＧが「１」、即ちＧＰＳ装置５００がカメラ本体１のアクセサリーシュー１０に装着されている場合（検出スイッチＳＷ５０２がオンの場合）に、閃光発光部４０を手動でポップアップさせるポップアップボタン５が押下された場合であってもポップアップがなされないようにしている。
【００８３】
これに対して、図１１では、ステップＳ１３８’において、ＧＰＳケーブル接続有無フラグＧＰＳが「０」か否かを判断し、「１」である場合（Ｎの場合）、即ち、ＧＰＳ装置５００のケーブル５０１がカメラ本体１のコネクタ５０に接続されている場合（通信が成立している場合）に、閃光発光部４０を手動でポップアップさせるポップアップボタン５が押下された場合であってもポップアップがなされないようにしている。
【００８４】
（第３変形例）
図１２は本発明の実施形態の第３変形例を示すフローチャートである。この第３変形例は、上述した第１変形例及び第２変形例を採用した場合における変形例である。この第３変形例では、上述した実施形態の図５の一部を変更し、図５のステップＳ１２７〜Ｓ１２９を省略している。これにより、ＧＰＳ装置５００がカメラ本体１のアクセサリーシュー１０に装着されたか否かを判断することなく、即ち、検出スイッチＳＷ５０２のオン／オフにかかわらず、ＧＰＳ装置５００のケーブル５０１がカメラ本体１のコネクタ５０に接続された場合（通信が成立した場合）に、閃光発光部４０のポップアップが禁止されることになる。
【００８５】
〔ポップアップが禁止された場合の制御〕
上述した実施形態では、ＧＰＳ装置５００がカメラ本体１のアクセサリーシュー１０に装着され、又はＧＰＳ装置５００のケーブル５０１がカメラ本体１のコネクタ５０に接続された場合には、閃光発光部４０のポップアップが禁止されるため、ＧＰＳ装置５００と閃光発光部４０との干渉によるトラブルは防止することができる。しかしながら、閃光発光部４０を用いた撮影は行うことはできないことになる。これに対策するため、本実施形態では、以下のようにして、閃光発光部４０を用いなくても、良好な撮影を実施できるようにしている。
【００８６】
以下に説明する各制御は、図４のステップＳ１１２、図６のステップＳ１３８、図１０のステップＳ１１２’及び図１１のステップＳ１３８’において、Ｎと判断された場合に実行される。また、何れの制御を実行するかは、予め使用者の選択操作によって設定できるようにするとよい。
【００８７】
（撮影感度の高感度化制御）
閃光発光部４０のポップアップを禁止した場合に、撮影感度が予め決められた所定感度以上となるように、又は被写体輝度に応じて自動的に撮像感度を変更するように制御する。即ち、撮影感度を高く設定して、暗い状況においても良好な撮影ができるようにする。具体的には、例えば、現在設定されているＩＳＯ感度が「４００」である場合に、これを「１６００」に変更するが如くである。
【００８８】
また、このような撮影感度の高感度化の制御に加えて、又はこれとは別に、閃光発光部４０のポップアップを禁止した場合において、現在設定されている露出モードがマニュアルモードとなっている場合には、該露出モードをオートモードに変更する制御を行うようにしてもよい。オートモードに変更されることにより、暗い状況に適応した露出値が設定されることになり、良好な撮影ができるようになる。
【００８９】
（長秒時ノイズリダクション機能の作動制御）
閃光発光部４０のポップアップを禁止した場合に、撮影画像からノイズを除去するノイズリダクション機能を作動させるように制御する。暗い状況において、撮影を行う場合には、シャッタ速度が長秒時となり、撮像素子１２１に生じる暗電流成分がノイズとなって、撮影画像に重畳され、画質が低下する場合がある。長秒時ノイズリダクション機能は、このような暗電流成分によるノイズを除去するための機能である。
【００９０】
長秒時ノイズリダクション機能は、撮影時のシャッタ速度と同じ時間だけ、該シャッタを閉じた状態で、撮像素子１２１から出力される暗電流成分に係る信号を検出し、検出された信号で、撮像信号を補正（減算処理）することにより、当該ノイズ成分を除去する機能である。なお、暗電流成分に係る信号を検出する際には、撮影時のシャッタ速度の１／２あるいは１／４の時間だけ、シャッタを閉じた状態の信号検出を行い、これを２倍又は４倍して、補正信号としてもよい。このようにすることにより、ノイズリダクション機能を実行するための時間が短くなり、使用者の待ち時間を短くすることができる。
【００９１】
（Ｄ−ライティング機能の作動制御）
閃光発光部４０のポップアップを禁止した場合に、撮影画像の階調を補正する階調補正機能であるＤ（デジタル）−ライティング（Ｌｉｇｈｔｉｎｇ）機能を作動させるように制御する。Ｄ−ライティング機能は、撮影画像中の比較的に暗い（黒い）部分のみを増幅（明るく）し、明るい部分はそのままとして、階調を調整する機能である。
【００９２】
閃光発光部４０のポップアップを禁止した場合には、閃光を用いた撮影が行えないので、例えば、撮影画像中の足下や物の陰となるような部分が黒くつぶれて見えずらくなる場合がある。このＤ−ライティング機能を作動させることによって、そのような見えずらい部分を見えやすくなるように補正することができ、画質を向上することができる。なお、このＤ−ライティング機能については、例えば、特開２００６−１１４００５号公報に開示されているようなものを用いることができる。
【００９３】
（手振れ補正機能の作動制御）
閃光発光部４０のポップアップを禁止した場合に、手振れ補正機能を作動させるように制御する。手振れ補正機能としては、光学式でも、電子式でも何れであってもよい。光学式の手振れ補正機能は、カメラが備える撮影レンズの一部と撮像素子の撮像面との少なくとも一方を、角速度センサ（ジャイロセンサ）等の振動検出センサにより検出される検出値に基づいて、該振動を相殺するように機械的に移動させて、被写体の像と撮像面との相対位置関係を一定に保つことにより、手振れを光学的に補正するようにした機能である。また、電子式の手振れ補正機能は、撮影可能領域を一定のサイズに狭め、撮影の際にバッファメモリに画像を読み込み、最初に撮影した画像とそれ以降に撮影した画像とを比較し、そのはみ出し量を演算し、撮影可能領域を自動的にずらして撮影し記録することにより、手振れを電子的（ソフトウエア的）に補正するようにした機能である。
【００９４】
閃光発光部４０のポップアップを禁止した場合には、閃光を用いた撮影が行えないので、暗い状況においては、シャッタ速度が長秒時となり、手振れによる画質の低下を生じることが多くなる。そこで、この手振れ補正機能を作動させることによって、良好な撮影を行うことができる。
【００９５】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【００９６】
例えば、上述した実施形態では、一眼レフ方式のデジタルカメラについて説明したが、本発明はこれに限定されず、透過方式のファインダを備えるデジタルカメラやその他の形式のデジタルカメラ、あるいはフィルム式のカメラであってもよい。また、デジタルスチルカメラにも限定されず、デジタルビデオカメラであってもよい。撮影装置は、その名称に限定されることもなく、撮影機能を有するあらゆる電子装置等が含まれる。
【図面の簡単な説明】
【００９７】
【図１】本発明の実施形態のデジタルカメラの外観構成の概略を示す斜視図である。
【図２】本発明の実施形態のデジタルカメラの外観構成の概略を示す側面図である。
【図３】本発明の実施形態のデジタルカメラの制御系の構成を示すブロック図である。
【図４】本発明の実施形態のメイン処理を示すフローチャートである。
【図５】本発明の実施形態の通信処理を示すフローチャートである。
【図６】本発明の実施形態の設定処理を示すフローチャートである。
【図７】本発明の実施形態の露出演算処理を示すフローチャートである。
【図８】本発明の実施形態の表示処理を示すフローチャートである。
【図９】本発明の実施形態の撮影シーケンスを示すフローチャートである。
【図１０】本発明の実施形態の第１変形例を示すフローチャートである。
【図１１】本発明の実施形態の第２変形例を示すフローチャートである。
【図１２】本発明の実施形態の第３変形例を示すフローチャートである。
【符号の説明】
【００９８】
１…カメラ本体、５…ポップアップボタン、１０…アクセサリーシュー、４０…閃光発光部、４１…閃光器保持部材、５０…コネクタ、Ｌ…撮影レンズ、５００…ＧＰＳ装置、５０１…ケーブル、Ａ…格納位置、Ｂ…使用位置、１０１…演算回路、１０４…マグネット、１０５…駆動回路、１２１…撮像素子、ＳＷ１…ポップアップ検知スイッチ、ＳＷ２…ポップアップスイッチ、ＳＷ５…レリーズスイッチ（半押しスイッチ）、ＳＷ６…レリーズスイッチ（全押しスイッチ）、ＳＷ５０２…検出スイッチ。
【図１】
2009276414.tif 000003
【図２】
2009276414.tif 000004
【図３】
2009276414.tif 000005
【図４】
2009276414.tif 000006
【図５】
2009276414.tif 000007
【図６】
2009276414.tif 000008
【図７】
2009276414.tif 000009
【図８】
2009276414.tif 000010
【図９】
2009276414.tif 000011
【図１０】
2009276414.tif 000012
【図１１】
2009276414.tif 000013
【図１２】
2009276414.tif 000014